【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルアービトラージ（ＤＳＡ）オペレーションを実行して、別の電気通信ネットワークによるアクセス及び使用のために特定の電気通信ネットワークの電気通信資源を動的に割り当てるように構成されたサーバコンピューティングデバイスのプロセッサを介して、地理的エリアに対する落札者を特定する通知メッセージを受信し、
前記プロセッサを介して、前記地理的エリアの電気通信セルを特定する一次グリッド構造を含むグリッドマップ構造を生成し、
前記プロセッサを介して、ワイヤレスデバイスの場所をモニタし、
前記プロセッサを介して、前記一次グリッド構造の前記電気通信セルに関する前記ワイヤレスデバイスの前記場所に基づいて、ネットワーク間ハンドオーバ動作を開始するかどうかを判断すること、
を含む、動的スペクトルアービトラージ（ＤＳＡ）方法。
【請求項２】
前記地理的エリアに対する前記落札者を特定する前記通知メッセージを受信することが、前記第１の電気通信ネットワークの動的スペクトルコントローラ（ＤＳＣ）で前記落札者として第１の電気通信ネットワークを特定するメッセージを受信することを含み、
ワイヤレスデバイスの場所をモニタすることが、前記第１の電気通信ネットワークの第１のｅＮｏｄｅＢに取り付けられた前記ワイヤレスデバイスの場所をモニタすることを含み、
前記一次グリッド構造の前記電気通信セルに関する前記ワイヤレスデバイスの前記場所に基づいて、ネットワーク間ハンドオーバ動作を開始するかどうかを判断することが、前記第１のｅＮｏｄｅＢに取り付けられた前記ワイヤレスデバイスを第２の電気通信ネットワークの第２のｅＮｏｄｅＢに転移するためにハンドイン動作を開始するかどうかを判断することを含む、請求項１に記載のＤＳＡ方法。
【請求項３】
前記地理的エリアに対する前記落札者を特定する前記通知メッセージを受信することが、第２の電気通信ネットワークの動的スペクトルコントローラ（ＤＳＣ）で前記落札者として第１の電気通信ネットワークを特定するメッセージを受信することを含み、
ワイヤレスデバイスの場所をモニタすることが、前記第１の電気通信ネットワークに加入している、前記第２の電気通信ネットワークのｅＮｏｄｅＢに取り付けられたワイヤレスデバイスの場所をモニタすることを含み、
前記一次グリッド構造の前記電気通信セルに関する前記ワイヤレスデバイスの前記場所に基づいて、ネットワーク間ハンドオーバ動作を開始するかどうかを判断することが、前記第１の電気通信ネットワークに加入している、前記ｅＮｏｄｅＢに取り付けられた前記ワイヤレスデバイスを前記第１の電気通信ネットワークに逆転移させるためにバックオフ動作を開始するかどうかを判断することを含む、請求項１に記載のＤＳＡ方法。
【請求項４】
前記第１の電気通信ネットワークに加入している、前記ｅＮｏｄｅＢに取り付けられた前記ワイヤレスデバイスを前記第１の電気通信ネットワークに逆転移させるためにバックオフ動作を開始するかどうかを判断する前記動作が、
資源リース期間が終了したと判断すること、
前記ｅＮｏｄｅＢが混雑していると判断すること、および、
前記ワイヤレスデバイスが前記地理的エリア外に移動したと判断すること
のうちの１つに応答して実行される、請求項３に記載のＤＳＡ方法。
【請求項５】
前記地理的エリアに対する前記落札者を特定する前記通知メッセージを受信することが、前記第１の電気通信ネットワークの動的スペクトルコントローラ（ＤＳＣ）で前記落札者として第１の電気通信ネットワークを特定するメッセージを受信することを含み、
前記生成されたグリッドマップ構造に基づいて、前記第１の電気通信ネットワークのワイヤレスデバイスによるアクセスおよび使用のために第２の電気通信ネットワークの電気通信資源を割り当てること、
をさらに含む、請求項１に記載のＤＳＡ方法。
【請求項６】
前記地理的エリアの前記電気通信セルを特定する前記一次グリッド構造を含む前記グリッドマップ構造を生成することが、
内部セルおよび境界セルのうちの１つとして前記一次グリッド構造の前記電気通信セルの各々を分類すること、
をさらに含む、請求項１に記載のＤＳＡ方法。
【請求項７】
前記地理的エリアの前記電気通信セルを特定する前記一次グリッド構造を含むグリッドマップ構造を生成することが、前記境界セルに隣接する前記電気通信セルを特定するバッファゾーン構造をさらに含む前記グリッドマップ構造を生成することを含む、請求項６に記載のＤＳＡ方法。
【請求項８】
前記バッファゾーン構造を含む前記グリッドマップ構造を生成することが、複数の階層を含む前記バッファゾーン構造を生成することを含む、請求項７に記載のＤＳＡ方法。
【請求項９】
前記バッファゾーン構造に基づいて、ピンポン回避動作を実行すること
をさらに含む、請求項７に記載のＤＳＡ方法。
【請求項１０】
前記ワイヤレスデバイスからｅＮｏｄｅＢ信号強度情報を含む測定レポートを受信すること、
をさらに含む、請求項１に記載のＤＳＡ方法。
【請求項１１】
ｅＮｏｄｅＢプロセッサを備えるｅＮｏｄｅＢと、
第１の通信リンクを介して前記ｅＮｏｄｅＢと結合されたＤＳＣプロセッサを備える動的スペクトルコントローラ（ＤＳＣ）と、
第２の通信リンクを介して前記ＤＳＣと結合されたＤＰＣプロセッサを備える動的スペクトルポリシコントローラ（ＤＰＣ）と
を含む動的スペクトルアービトラージ（ＤＳＡ）システムであって、
前記ＤＳＣプロセッサが、プロセッサ実行可能命令を用いて、
地理的エリアに対する落札者を特定する通知メッセージを前記ＤＰＣから受信し、
前記地理的エリアの電気通信セルを特定する一次グリッド構造を含むグリッドマップ構造を生成し、
ワイヤレスデバイスの場所をモニタし、
前記一次グリッド構造の前記電気通信セルに関する前記ワイヤレスデバイスの前記場所に基づいて、ネットワーク間ハンドオーバ動作を開始するかどうかを判断すること、
を含む動作を実行するように構成される、ＤＳＡシステム。
【請求項１２】
前記ｅＮｏｄｅＢおよびＤＳＣが、第１の電気通信ネットワークに含まれ、前記ＤＳＣプロセッサが、プロセッサ実行可能命令を用いて、
前記地理的エリアに対する前記落札者を特定する前記通知メッセージを受信することが、前記落札者として前記第１の電気通信ネットワークを特定するメッセージを受信することを含み、
ワイヤレスデバイスの場所をモニタすることが、前記ｅＮｏｄｅＢに取り付けられた前記ワイヤレスデバイスの場所をモニタすることを含み、
前記一次グリッド構造の前記電気通信セルに関する前記ワイヤレスデバイスの前記場所に基づいて、ネットワーク間ハンドオーバ動作を開始するかどうかを判断することが、前記ｅＮｏｄｅＢに取り付けられた前記ワイヤレスデバイスを第２の電気通信ネットワークの別のｅＮｏｄｅＢに転移するためにハンドイン動作を開始するかどうかを判断すること
を含むように、
動作を実行するように構成される、請求項１１に記載のＤＳＡシステム。
【請求項１３】
前記ｅＮｏｄｅＢおよびＤＳＣが、第１の電気通信ネットワークに含まれ、前記ＤＳＣプロセッサが、プロセッサ実行可能命令を用いて、
前記地理的エリアに対する前記落札者を特定する前記通知メッセージを受信することが、前記落札者として第２の電気通信ネットワークを特定するメッセージを受信することを
含み、
ワイヤレスデバイスの場所をモニタすることが、前記第２の電気通信ネットワークに加入している、前記ｅＮｏｄｅＢに取り付けられたワイヤレスデバイスの場所をモニタすることを含み、
前記一次グリッド構造の前記電気通信セルに関する前記ワイヤレスデバイスの前記場所に基づいて、ネットワーク間ハンドオーバ動作を開始するかどうかを判断することが、前記ワイヤレスデバイスを前記第２の電気通信ネットワークの別のｅＮｏｄｅＢに転移するためにバックオフ動作を開始するかどうかを判断することを含むように、
動作を実行するように構成される、請求項１１に記載のＤＳＡシステム。
【請求項１４】
前記ＤＳＣプロセッサが、プロセッサ実行可能命令を用いて、前記ワイヤレスデバイスを前記第２の電気通信ネットワークの別のｅＮｏｄｅＢに転移するためにバックオフ動作を開始するかどうかを判断する前記動作が、
資源リース期間が終了したと判断すること、
前記ｅＮｏｄｅＢが混雑していると判断すること、および、
前記ワイヤレスデバイスが前記地理的エリア外に移動したと判断すること
のうちの１つに応答して実行されるように、動作を実行するように構成される、請求項１３に記載のＤＳＡシステム。
【請求項１５】
プロセッサ実行可能命令を用いて、動作を実行するように構成されたプロセッサであって、前記動作が、
地理的エリアに対する落札者を特定する通知メッセージを受信し、
前記地理的エリアの電気通信セルを特定する一次グリッド構造を含むグリッドマップ構造を生成し、
ワイヤレスデバイスの場所をモニタし、
前記一次グリッド構造の前記電気通信セルに関する前記ワイヤレスデバイスの前記場所に基づいて、ネットワーク間ハンドオーバ動作を開始するかどうかを判断すること、
を含む、プロセッサ
を備えるサーバコンピューティングデバイス。